(57)【要約】【課題】１つのマットで吸保水マットとクッションマットに兼用することのできる厚みの小さな多機能マットを提供する。【解決手段】一面を撥水層１２で、他面を吸保水層１１で形成し、広げた状態で吸水マットとして用い、撥水層１２が外側に、吸保水層１１が内側になるように折りたたむことでクッションマットとして使用可能に多機能マット１０を形成する。兼用できるため、コストがかからず、保管の場所も取らない。折りたたんだ状態でクッション性を発揮できればいいため、広げた状態の厚みは小さくできる。吸保水層１１は２分割されて分割部１１ａを形成し、その間の間隔部１２ａで折り曲げ容易となっている。また、両側には、面ファスナー１３が取り付けられている。そのため、折りたたんだ状態での形状安定性に優れる。吸保水層１１と撥水層１２の折りたたみ前の合計厚みを３ｍｍから２０ｍｍとすると薄手で使いやすく、材料コストも低廉で、クッション性も十分である。【選択図】図１
0003124198.tif 000002
【実用新案登録請求の範囲】
【請求項１】
一面を撥水材からなる撥水層で、他面を吸水材または保水材からなる吸保水層で形成し、
広げた状態で吸保水マットとして用い、
撥水層が外側に、吸保水層が内側になるように折りたたむことでクッションマットとして用いる多機能マット。
【請求項２】
上記吸保水層を複数の分割部に分割し、隣接する分割部間に所定の間隔を設け、この間隔部で折り曲げ可能とした請求項１に記載の多機能マット。
【請求項３】
上記吸保水層により形成された面の側部に、着脱自在の結着部材を取り付けた請求項１または２に記載の多機能マット。  
【請求項４】
上記吸保水材はパイル生地または不織布である請求項１から３のいずれかに記載の多機能マット。
【請求項５】
吸保水層と撥水層の折りたたみ前の合計厚みが３ｍｍから２０ｍｍである請求項１から４のいずれかに記載の多機能マット。
【考案の詳細な説明】
【技術分野】
【０００１】
この考案は、広げた状態において吸保水マットとして用いることができ、たたんだ状態においてクッションマットに用いることができる多機能マットに関する。
【背景技術】
【０００２】
従来、コンビニエンスストア、スーパーマーケットなどの店頭においては、用途の異なる複数のマットが利用されている。
【０００３】
たとえば、レジ設置場所においては、一箇所で立ち作業を行うレジ係りの足腰への負担を軽減するために、床にクッションマットが敷かれている。
また、雨の日には、ブックラック設置場所においては、本を選ぶ客の靴に付着した雨水が床に溜まらないように、床に吸保水マットが敷かれている。
【０００４】
これらはいずれも、無いと非常に不便ではあるが、それぞれ個別に用意するとなるとコストがかかる。
また、不使用時の保管の際にもスペースを取り邪魔である。
【０００５】
一方、吸保水マットに厚みを持たせてクッション性も併せ持たせることも可能ではあるが、重量が増すため運搬に不便であり、材料コストもかかる。
【考案の開示】
【考案が解決しようとする課題】
【０００６】
そこで、この考案は、１つのマットで吸保水マットとクッションマットに兼用することのできる厚みの比較的小さな多機能マットを提供することをその課題とする。
【課題を解決するための手段】
【０００７】
上記した課題を解決するため、この考案にかかる多機能マットの一面を撥水材からなる撥水層で、他面を吸水材または保水材からなる吸保水層で構成したのである。
そして、広げた状態で吸保水マットとして用い、撥水層が外側に、吸保水層が内側になるように折りたたむことでクッションマットとして使用可能としたのである。
【０００８】
このようにすれば、１つのマットを兼用することができるため、２種類のマットをそれぞれ用意する場合に比べてコストがかからない。
また、保管時にも、従来２枚必要であったものが１枚で済むため場所を取らない。
【０００９】
さらに、折りたたんだ状態でクッション性を発揮できればいいため、広げた状態での厚みは比較的小さくてもよい。
このように、厚みは従来のマット製品と同じ程度に抑えられるため、運搬の負担が大きくなったり、材料コストがかかったりする心配は無い。
【００１０】
吸保水層を複数の分割部に分割し、隣接する分割部間に所定の間隔を設け、この間隔部で折り曲げ可能に形成すると、間隔部は厚みが小さいため折りたたみが容易であり、利便性が向上する。
また、このように間隔部の厚みが小さいので、マット素材の持つ復元弾性により、広がって元の状態に戻ろうとする力が減じられ、折りたたんだ状態で形状が安定し、クッションマットとしての使い勝手がよくなる。
【００１１】
吸保水層により形成された面の側部に、面ファスナー、スナップボタンなど着脱自在の結着部材を取り付け、折りたたんだ際にこれを結着させるとクッションマットとして用いる際の形状が一層安定する。
この結着部材は着脱自在であるため、結着を解除し、広げると再び吸保水マットとして使用可能である。
【００１２】
吸保水材をパイル生地または不織布とすると、良好な吸保水性が得られ、さらに、折りたたむと良好なクッション性が得られる。
【００１３】
吸保水層と撥水層の折りたたみ前の合計厚みを３ｍｍから２０ｍｍとすると、厚みを抑えて重量と材料コストを抑えつつも、折りたたんだ状態での十分なクッション性を担保することができる。
【００１４】
なお、特開平１１−５６５８３号公報には、基布の表面にパイル糸を多数タフティングし、裏面にゴム層を形成してなるマットを、パイル糸側表面が内側になるように重ね合わせ、合わせ面の周囲を縫い付けるなどして結着してクッションマットを形成する技術が示されている。
しかし、この場合、一端結着した後はもはや足拭きマット等の吸保水マットとして使用することができない。
よって、ここに多機能マットとしてのアイディアは現れていない。
また、結着することを前提としているため、折りたたんだ状態での素材の復元弾性を抑える手段が講じられていない。
よって、ここに結着しない状態で折りたたんだマットの形状を安定させるアイディアは現れていない。
【考案の効果】
【００１５】
広げた状態において吸保水マットとして用いることができ、たたんだ状態においてクッションマットに用いることができる多機能マットを提供することにより、コストの低減と省スペース化が図られる。
【考案を実施するための最良の形態】
【００１６】
以下、図面を参照しつつこの考案の実施の形態について説明する。
【００１７】
図１のように、実施形態にかかる平面視方形の多機能マット１０は、吸水材または保水材からなる吸保水層１１と、撥水材からなる撥水層１２を積層してなる二層構造となっている。
図示のように、撥水層１２は多機能マット１０の長手方向に連続しており、吸保水層１１は、多機能マット１０の長手方向のほぼ真ん中において二つに分割されてそれぞれが分割部１１ａを形成している。
これら両層１１、１２は、互いに貼り合わせられている。
また、図示のように、隣接する分割部１１ａ間には所定の間隔が設けられ、この間隔部１２ａにおいて多機能マット１０は撥水層１２からなる単層構造となっているため、他の部分に比べて厚みが小さくなっている。
吸保水層１１と撥水層１２の合計厚みは、３ｍｍから２０ｍｍくらいである。
【００１８】
ここで撥水材としては、ゴム、エラストマーが好適である。
具体的には、天然ゴムやスチレン系、ブタジエン系、クロロプレン系、ポリウレタン系、アクリル系、ポリエステル系、ポリオレフィン系樹脂が考えられ、これらは適度な弾性を持ち、撥水性に特に優れている。
【００１９】
吸水材や保水材としては、パイル生地、不織布が好適である。
具体的には、ポリアミド系、ポリオレフィン系、アクリル系、ポリエステル系樹脂が考えられ、これらは柔軟であり、吸水性や保水性に特に優れている。  
なお、吸水材や保水材としてパイル生地を用いる場合には、吸保水層１１は、基布と、基布にタフティングされたパイル糸とから形成され、パイルの表面形態は、カットパイル、ループパイル、カットループパイルなどである。
【００２０】
また、図示のように、吸保水層１１側の面の長手方向の両側には、雌雄一対の面ファスナー１３が取り付けられている。
【００２１】
実施形態にかかる多機能マット１０の構成は以上のようであり、つぎに、その使用方法について説明する。
【００２２】
まず、この多機能マット１０を吸保水マットとして使用する際には、図１のように、床面側に撥水層１２を向け、天井側に吸保水層１１を向けた状態で床面に載置する。
雨の日などに、マット１０上を人が通ると、靴についた水分が吸保水層に吸収または保持される。
また、床面側にあたる撥水層１２が水分を通さないため、水分が浸透せず、床面を濡らすことが無い。
【００２３】
つぎに、この多機能マット１０をクッションマットとして使用する際には、図２のように、吸保水層１１が内側に撥水層１２が外側になるようにして、吸保水層１１の分割部１１ａ間の間隔部１２ａで折り曲げて半分に折りたたむ。
そして、面ファスナー１３同士を係着させ、これを床面に載置する。
折り曲げる間隔部１２ａは、撥水層１２の単層からなるため、厚みが小さく折りたたみやすく、また復元弾性が小さい。
さらに折りたたんだ状態で面ファスナー１３同士が係合されている。
そのため折りたたんだ状態での形状が非常に安定している。
この折りたたんだマット１０上に人が載ると、折り重なって２倍に厚みが増した柔軟な吸保水層１１が良好なクッション性を発揮し、足腰への負担を軽減する。
【００２４】
この実施形態においては、多機能マット１０の長手方向に吸保水層１１を２分割したが、吸保水層１１の分割の方向や分割の数はこれに限定されない。
例えば、図３のように、多機能マット１０の短手方向に２分割してもよい。
また、三つ折りできるように吸保水層１１を３つに分割したり、四つ折りできるように４つに分割したりしてもよい。
多機能マット１０の素材が折りたたんだ状態での形状安定性に優れているならば、間隔部１２ａや面ファスナー１３を省略することもできる。
【実施例】
【００２５】
以下、さらに詳細な実施例を挙げ、この考案の内容を一層明確にする。
【００２６】
実施例１として、パイル生地を用いた多機能マットを作製した。
太さ１０デシテックスの単糸１２０本で構成され、それを２本撚りしたトータルで２４０デシテックスの極細ナイロン糸を用意した。
これを、パイル密度１／８ゲージのタフト機を使用して、パイル高７．５ｍｍ設定で、坪量１００ｇ／ｍ２の不織布の基布にゲージ方向（横方向）に、パイル部分４５ｃｍ、無パイル部分２ｃｍ、パイル部分４５ｃｍの順にタフティングした。
このパイル生地に抜け止め加工を施した後に、裏面にポリオレフィン系の１ｍｍ厚のシートを貼り合わせ、これを長さ方向に１８０ｃｍで裁断後、両側に面ファスナーを取り付けて多機能マットを作製した。
【００２７】
実施例２として、不織布を用いた多機能マットを作製した。
ニードルパンチされた５ｍｍ厚、４５ｃｍ幅のポリエステル不織布２枚を、２．５ｃｍ間隔をあけて並列させ、実施例１と同様のポリオレフィンシートと貼り合わせ、これを長さ方向に１８０ｃｍで裁断後、両サイドに面ファスナーを取り付けて多機能マットを作製した。
【００２８】
実施例１および２の多機能マットを、床面側をポリオレフィンシート面として広げた状態で用いると、吸保水マットとして良好な吸保水性を発揮した。
また、これらを、ポリオレフィンシート面を外側にして真ん中で半分に折りたたみ、面ファスナー同士を係合させると、クッションマットとして良好なクッション性を発揮した。
実施例１のマットの厚みは、８．５ｍｍであり、実施例２のマットの厚みは、６ｍｍであり、それぞれ非常に薄手で持ち運びに便利であり、製作に費やすコスト、特にその材料コストが低廉であった。
【図面の簡単な説明】
【００２９】
【図１】実施形態の多機能マットを広げた状態を示す（ａ）は平面図、（ｂ）は側面図
【図２】実施形態の多機能マットをたたんだ状態を示す側面図
【図３】他の実施形態の多機能マットを広げた状態を示す平面図
【符号の説明】
【００３０】
１０  多機能マット
１１  吸保水層
１１ａ  分割部
１２  撥水層
１２ａ  間隔部
１３  面ファスナー
【図１】
0003124198.tif 000003
【図２】
0003124198.tif 000004
【図３】
0003124198.tif 000005